【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムにおいて、
前記基地局制御局は、
各基地局からの伝送信号を合成する選択合成部と、
前記選択合成部により選択合成された後の信号品質を測定する信号品質測定部と、
前記信号品質測定部により測定された信号品質が所定の品質と等しくなるように、送信電力制御で用いる目標基準品質を増減するための制御信号を作成する制御信号作成部と
を備え、
前記第１及び第２の基地局に対して共通に前記制御信号を送信し、比較的短い周期で前記第１及び第２の基地局で更新されるようにし、
前記第１及び第２の基地局は、
前記基地局制御局からの前記制御信号に従い目標基準品質を増減する制御部を備えた
無線通信システム。
【請求項２】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムにおいて、
前記基地局制御局は、
各基地局からの伝送信号を合成する選択合成部と、
前記選択合成部により選択合成された後の信号品質を測定する信号品質測定部と、
前記信号品質測定部により測定された信号品質が所定の品質と等しくなるように、送信電力制御で用いる目標基準品質を増減指示するための制御信号を作成する制御信号作成部と
を備え、
前記第１の基地局に、前記制御信号を通知し、
前記第２の基地局に、前記制御信号を通知しないようにし、
また、
前記第１及び第２の基地局は、
前記基地局制御局からの制御信号に従い目標基準品質を増減する制御部
を備え、
前記制御信号を受信した場合、該制御信号に従い目標基準品質を増減し、
一方、前記制御信号を所定時間受信しなかった場合、予め定められた設定値に基づき目標基準品質を設定するようにした
無線通信システム。
【請求項３】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムにおいて、
前記基地局制御局は、
各基地局からの伝送信号を合成する選択合成部と、
前記選択合成部により選択合成された後の信号品質を測定する信号品質測定部と、
前記信号品質測定部により測定された信号品質が所定の品質と等しくなるように、送信電力制御で用いる目標基準品質を増減するための制御信号を作成する制御信号作成部と
を備え、
前記第１及び第２の基地局に対して共通に前記制御信号を送信し、比較的短い周期で前記第１及び第２の基地局で更新されるようにし、
また、
前記第１及び第２の基地局は、
基地局制御局からの制御信号に従い目標基準品質を増減する制御部と、
目標基準品質と受信品質との差と、所定の閾値とを比較する比較器と
を備え、
前記比較器により、該差が所定の閾値より小さいと判断された場合、前記基地局制御局からの制御信号により基準品質を増減し、
前記比較器により、該差が所定の閾値より大きいと判断された場合、予め定められた設定値をもとに目標基準品質を設定するようにした
無線通信システム。
【請求項４】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムにおいて、
前記基地局制御局は、
各基地局からの伝送信号の各品質を独立に測定する信号品質測定部と、
各基地局からの伝送信号を合成する選択合成部と、
前記信号品質測定部で測定した各伝送信号の信号品質と目標信号品質とを比較する比較器と、
前記信号品質測定部により測定された信号品質が所定の品質と等しくなるように、送信電力制御で用いる目標基準品質を増減指示するための制御信号を作成する制御信号作成部と
を備え、
前記比較器の比較結果に基づいて、
前記第１の基地局に、目標基準品質の減少指示のための制御信号を通知し、
前記第２の基地局に、目標基準品質の増加指示のための制御信号を通知するようにし、各基地局に対する目標基準品質の増減指示を各基地局へ独立して通知するようにし、
また、
前記第１及び第２の基地局は、
前記基地局制御局からの前記制御信号に従い目標基準品質を増減する制御部を備えた無線通信システム。
【請求項５】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムに使用される基地局制御局において、
前記基地局制御局は、
各基地局からの伝送信号を合成する選択合成部と、
前記選択合成部により選択合成された後の信号品質を測定する信号品質測定部と、
前記信号品質測定部により測定された信号品質が所定の品質と等しくなるように、送信電力制御で用いる目標基準品質を増減するための制御信号を作成する制御信号作成部と
を備え、
前記第１及び第２の基地局に対して共通に前記制御信号を送信し、比較的短い周期で前記第１及び第２の基地局で更新されるようにした基地局制御局。
【請求項６】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムに使用される基地局制御局において、
前記基地局制御局は、
各基地局からの伝送信号を合成する選択合成部と、
前記選択合成部により選択合成された後の信号品質を測定する信号品質測定部と、
前記信号品質測定部により測定された信号品質が所定の品質と等しくなるように、送信電力制御で用いる目標基準品質を増減指示するための制御信号を作成する制御信号作成部と
を備え、
前記第１の基地局に、前記制御信号を通知し、
前記第２の基地局に、前記制御信号を通知しないようにした
基地局制御局。
【請求項７】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムに使用される基地局制御局において、
前記基地局制御局は、
各基地局からの伝送信号の各品質を独立に測定する信号品質測定部と、
各基地局からの伝送信号を合成する選択合成部と、
前記信号品質測定部で測定した各伝達信号の信号品質と目標信号品質とを比較する比較器と、
前記信号品質測定部により測定された信号品質が所定の品質と等しくなるように、送信電力制御で用いる目標基準品質を増減指示するための制御信号を作成する制御信号作成部と
を備え、
前記比較器の比較結果に基づいて、
前記第１の基地局に、目標基準品質の減少指示のための制御信号を通知し、
前記第２の基地局に、目標基準品質の増加指示のための制御信号を通知するようにし、各基地局に対する目標基準品質の増減指示を各基地局へ独立して通知するようにした
基地局制御局。
【請求項８】
該基地局から受信する複数の伝送信号の信号品質により、比較的良い回線品質を提供する基地局を決定する手段をさらに備えた請求項５乃至７のいずれかに記載の基地局制御局。
【請求項９】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムに使用される基地局において、
前記基地局は、
前記基地局制御局からの制御信号に従い目標基準品質を増減する制御部
を備え、
前記制御信号を受信した場合、該制御信号に従い目標基準品質を増減し、
一方、前記制御信号を所定時間受信しなかった場合、予め定められた設定値に基づき目標基準品質を設定するようにした
基地局。
【請求項１０】
第１のパスにより無線端末と通信する第１の基地局と、第２のパスにより無線端末と通信する第２の基地局と、前記第１及び第２の基地局を制御する基地局制御局とを備え、ソフトハンドオーバ中の無線端末と前記第１及び第２の基地局との間で各々の無線回線の受信品質が所定の基準品質に等しくなるように送信電力制御を行う無線通信システムに使用される基地局において、
前記基地局は、
前記基地局制御局からの制御信号に従い目標基準品質を増減する制御部と、
目標基準品質と受信品質との差と、所定の閾値とを比較する比較器と
を備え、
前記比較器により、誤差が所定の閾値より小さいと判断された場合、前記基地局制御局からの制御信号により基準品質を増減し、
前記比較器により、誤差が所定の閾値より大きいと判断された場合、予め定められた設定値をもとに目標基準品質を設定するようにした
基地局。
【請求項１１】
目標基準品質と受信品質との差が閾値より小さいと判断された場合は、該基地局が最良の回線品質を提供している基地局であると判断するようにした請求項９又は１０に記載の基地局。
【請求項１２】
目標基準品質と受信品質との差が閾値より大きいと判断された場合は、該基地局が最良の回線品質を提供している基地局ではないと判断するようにした請求項９又は１１に記載の基地局。
【請求項１３】
移動端末が複数の基地局とハンドオーバする際の送信電力制御方法において、
前記複数の基地局を制御する基地局制御局は、
前記基地局が前記移動端末の送信電力を制御する際にその指標となる電力制御目標値を、前記基地局が前記基地局制御局に送信する信号の受信品質に基づいて決定し、
前記基地局ごとに決定された電力制御目標値を第１の周期で前記各基地局に送信し、
前記電力制御目標値を受信した基地局は、
その電力制御目標値にしたがって電力制御情報を生成し、生成した前記電力制御情報を前記移動端末に第２の周期で送信することを特徴とするハンドオーバする際の送信電力制御方法。
【請求項１４】
前記第１の周期は、前記移動端末あるいは前記基地局において通信品質劣化時の呼解放期間あるいはよりも短い周期であることを特徴とする請求項１３記載の送信電力制御方法。
【請求項１５】
前記第１の周期は、前記第２の周期以下であることを特徴とする請求項１３記載の送信電力制御方法。
【請求項１６】
前記第１の周期を、前記受信品質に応じて動的に変化させることを特徴とする請求項１３記載の送信電力制御方法。
【請求項１７】
前記第１の周期を、前記受信品質が劣化すると前記受信品質が良好なときよりも短い周期とすることを特徴とする請求項１６記載の送信電力制御方法。
【請求項１８】
前記第１の周期を、前記基地局と前記基地局制御局間の伝送路のトラヒックが疎であるときは相対的に短周期とし、前記トラヒックが密であるときは相対的に長周期とすることを特徴とする請求項１６記載の送信電力制御方法。
【請求項１９】
複数の基地局と該基地局を制御する基地局制御局とを有する移動通信システムのハンドオーバの際の送信電力制御方法において、
移動端末からの上り信号を前記ハンドオーバ中の基地局において受信するステップと、
前記受信した上り信号を前記基地局制御局に転送するステップと、
前記転送された上り信号を前記基地局制御局において受信するステップと、
前記上り信号の受信品質を測定するステップと、
前記受信品質に基づいて複数の上り信号から品質の良い上り信号を選択するス
テップと、
前記選択された上り信号を転送した基地局を特定するステップと、
前記基地局が前記移動端末の送信電力を制御する際に基準とする目標受信品質を更新するための更新信号を生成するステップと、
前記更新信号を前記基地局に送信するステップと、
前記更新信号を受信した基地局が前記更新信号に基づいて前記目標受信品質を
更新するステップと、
前記目標受信品質に従って前記移動端末の送信電力を制御するステップと、
を有することを特徴とするハンドオーバの際の送信電力制御方法。
【請求項２０】
前記選択された上り信号を転送した基地局を特定するステップは、選択された割合がしきい値を超えるた場合に前記しきい値を超えた基地局を経由基地局として特定するステップであり、前記更新信号を送信するステップでは、前記しきい値を越える基地局が存在する場合には、該しきい値を越える基地局に対し更新信号を送信し、前記しきい値を越える基地局が存在しない場合には、ハンドオーバ中の複数の基地局に対し更新信号を送信するステップであることを特徴とする請求項１９に記載のハンドオーバの際の送信電力制御方法。
【請求項２１】
前記更新信号を受信しなかった基地局が前記目標受信品質を初期化するステップと、をさらに有することを特徴とする請求項１９乃至２０に記載のハンドオーバの際の送信電力制御方法。
【請求項２２】
移動端末が複数の基地局とハンドオーバする際の送信電力制御方法において、
前記移動端末からの上り信号を受信するステップと、
前記受信した上り信号の受信品質を測定するステップと、
前記受信品質と送信電力制御の目標となる目標受信品質との差分の絶対値を求めるステップと、
前記差分の絶対値がしきい値を超えると前記目標受信品質を初期化するステップと、
を有することを特徴とする送信電力制御方法。
【請求項２３】
移動端末が複数の基地局とハンドオーバする際の送信電力制御方法において、
前記移動端末からの上り信号を受信するステップと、
前記受信した上り信号の受信品質を測定するステップと、
前記複数の基地局を制御する基地局制御局が送信する目標受信品質更新信号を
受信するステップと、
前記目標受信品質更新信号にしたがって前記移動端末の送信電力制御をするための目標受信品質を更新するステップと、
前記受信品質と前記目標受信品質との差分の絶対値を求めるステップと、
前記差分の絶対値がしきい値を超えると前記基地局制御局が送信する目標受信品質更新信号を廃棄し、前記目標受信品質を初期化するステップと、
前記目標受信品質にしたがって前記移動端末の送信電力制御するための電力制御信号を生成するステップと、
前記電力制御信号を前記移動端末に送信するステップと、
を有することを特徴とする送信電力制御方法。
【請求項２４】
前記初期化するステップでは、前記目標受信品質として基地局ごとの初期値あるいは、十分に受信品質が保てる値を設定することを特徴とする請求項２２乃至請求項２３に記載の送信電力制御方法。
【請求項２５】
移動端末とハンドオフする複数の基地局を制御する基地局制御局において、
前記移動端末からの上り信号を前記複数の基地局を経由して受信する受信部と、
前記受信部で受信された上り信号の受信品質を測定する受信品質測定部と、
前記基地局が前記移動端末の送信電力を制御する際にその指標となる電力制御目標値を、更新するための制御信号を前記受信品質測定部が測定した受信品質に基づいて生成する更新制御部と、
前記更新制御部で生成された制御信号を、前記基地局が前記移動端末の送信電力の制御を行う周期以下の周期でもって前記基地局に送信する送信部と、
を有することを特徴とする基地局制御局。
【請求項２６】
複数の基地局と該基地局を制御する基地局制御局とを有する移動通信システムにおいて、
前記基地局制御局は、
前記複数の基地局で受信した移動端末からの上り信号を前記複数の基地局を介して受信する上り信号受信部と、
前記上り信号受信部が受信した上り信号の受信品質を測定する受信品質測定部と、
前記受信品質測定部が測定した受信品質に基づいて複数の上り信号のうち品質の良い上り信号を選択する信号選択部と、
前記信号選択部が選択した上り信号がいずれの基地局を経由したものであるかを推定する推定部と、
前記移動端末の送信電力制御の基準となる目標受信品質の更新信号を生成する生成部と、
前記推定部により経由基地局であると推定された基地局に対し、前記生成部が生成した更新信号を送信する更新信号送信部と、
を有し、
前記基地局は、
前記更新信号送信部が送信する更新信号を受信する更新信号受信部と、
前記更新信号受信部が受信した前記更新信号に基づいて前記目標受信品質を更新する更新部と、
前記目標受信品質に基づいて前記移動端末の送信電力を制御する送信電力制御部と、
を有し、
前記更新部は、前記更新信号受信部において更新信号を受信しなかった場合に前記目標受信品質を初期化することを特徴とする移動通信システム。
【請求項２７】
移動端末とハンドオーバする基地局において、
前記移動端末からの上り信号を受信する受信部と、
前記受信した上り信号の受信品質を測定する測定部と、
前記受信品質と電力制御の目標となる目標受信品質との差分の絶対値を求める差分部と、
前記差分の絶対値としきい値と比較する比較部と、
前記比較部の比較の結果に基づいて前記目標受信品質を初期化する初期化部と、
前記目標受信品質に基づいて前記移動端末に対し電力制御信号を生成する生成部と、
前記生成部が生成した電力制御信号を前記移動端末に送信する送信部と、
を有することを特徴とする基地局。
【請求項２８】
移動端末と通信を行う基地局であって、前記移動端末とハンドオフする際に基地局制御局に制御される前記基地局において、
前記基地局制御局が送信する目標受信品質更新信号を受信する基地局制御局ＩＦと、
前記基地局制御局ＩＦで受信した目標受信品質更新信号にしたがって前記移動端末の送信電力制御をするための目標受信品質を更新する第１の更新モードと、
前記目標受信品質を初期化する第２の更新モードと、
前記第１の更新モードあるいは前記第２の更新モードによって更新された目標受信品質にしたがって前記移動端末の送信電力を制御するための電力制御信号を生成する生成回路と、
前記生成回路が生成した電力制御信号を前記移動端末に送信する送信回路と、
を有することを特徴とする基地局。
【請求項２９】
請求項２８記載の基地局において、さらに、
前記移動端末からの上り信号を受信する受信回路と、
前記受信回路が受信した上り信号の受信品質を測定する受信品質測定回路と、
前記受信品質測定回路で得られた受信品質と前記目標受信品質との差分の絶対値に基づいて、前記第１の更新モードまたは前記第２の更新モードのいずれかを選択する選択回路と、
前記選択回路が選択した更新モードに従って前記目標受信品質を更新する更新回路と、
を有し、
前記生成回路は、前記更新回路が更新した目標受信品質にしたがって前記電力制御信号を生成することを特徴とする基地局。
【請求項３０】
移動端末が複数の基地局とハンドオーバする際の送信電力制御方法において、
前記複数の基地局を制御する基地局制御局は、
前記基地局が前記移動端末の送信電力を制御する際にその指標となる電力制御目標値を、前記基地局が前記基地局制御局に送信する信号の受信品質あるいは前記基地局制御局において選択合成された後の信号品質に基づいて、前記複数の基地局に共通に決定し、
前記複数の基地局に共通に決定された電力制御目標値を前記各基地局に送信し、
前記電力制御目標値を受信した基地局は、
その電力制御目標値にしたがって電力制御情報を生成し、生成した前記電力制御情報を前記移動端末に送信することを特徴とする、ハンドオーバする際の送信電力制御方法。
【請求項３１】
移動端末とハンドオフする複数の基地局を制御する無線通信装置であって、
前記複数の基地局各々から送信される信号を受信する受信部と、
前記受信部で受信した信号各々の品質を測定する信号品質測定部と、
前記信号品質測定部の測定結果に応じて、前記複数の基地局各々に対し該複数の基地局各々が送信電力の制御に用いるパラメータの増減を指示する指示部と、
を有することを特徴とする無線通信装置。